(57)【要約】【課題】    地震や津波、波浪や風雨、洪水などの災害時に、地面に確りと固定されていない地上据え置きの小容量の容器が、風雨や波の力、浮力によって、浮き上がったり流されたり、転倒や移動するのを防止する。【解決手段】    地上据え置きの小容量の容器１が、地震や津波、洪水などによって移動したり流されたりすることがないように、容器１の外周部又は内周部の底部近傍に重り２をリング状に設置するか、或いは容器１の外周部の底部近傍に重り２を係留状に固定形成したことを特徴とする。【選択図】  図１
2014009016.tif 000002
【特許請求の範囲】
【請求項１】
地上据え置きの小容量の容器を、地震や津波、洪水などによって移動したり流されたりすることがないように、底部近傍に重りを設置して安定固定したことを特徴とする容器の防護構造。
【請求項２】
上記小容量の容器は平底円筒形の容器であって、上記重りは容器の外周部又は内周部にリング状に設置したことを特徴とする請求項１記載の容器の防護構造。
【請求項３】
上記小容量の容器は縦置きの容器又は横置きの容器であって、この容器の上部に設けた固定リングと、この固定リングから垂下する複数本のワイヤと、この各ワイヤの先端を固着する複数の重りとで係留状態に固定したことを特徴とする請求項１記載の容器の防護構造。
【請求項４】
上記小容量の容器は複数の縦置きの容器であって、これらの容器の上部を磁気ベルトで結束するとともに下部を磁気ベルトで結束し、両磁気ベルト間に複数本の吊りワイヤを設けるとともに複数の重りにて固定したことを特徴とする請求項１記載の容器の防護構造。
【発明の詳細な説明】
【技術分野】
【０００１】
この発明は、高圧ガスや液化ガス、燃料などの液体を貯蔵する地上据え置きの小容量の容器について、地震、津波や洪水時に、浮上りや流され、転倒や移動を防止する容器の防護対策に関するものである。
【背景技術】
【０００２】
一般的な平底円筒形の小容量の容器や、一般的な円筒形縦置きや横置きの小容量の容器は、地上に据付け又は載置されている。
図５及び図６に一般的な地上据え置きの小容量の容器１について、地震や津波・洪水８によって地面７から浮上り流されるという災害事例を示す。
【０００３】
小容量の容器を固定した構造に関する従来の特開２０１０−１７５０６９号公報「ＬＰガス容器等の隔壁パネル」がある。この発明には、ＬＰガス設置箇所の地面に載置土台を設け、その周囲に隔壁パネルを設けた構成が開示されている。
【０００４】
また、ＬＰガス等の容器を設置する従来の実公昭６２−３６００号公報「ガス容器載置台」の考案には、ガス容器のスカート部が載る本体の表面に中心から放射状に多数の水切り溝を形成したガス容器載置台が開示されている。
【先行技術文献】
【特許文献】
【０００５】
【特許文献１】特開２０１０−１７５０６９号公報
【特許文献１】実公昭６２−３６００号公報
【発明の概要】
【発明が解決しようとする課題】
【０００６】
図５及び図６に示すように、従来一般的な地上据え置きの小容量の容器１は、津波・洪水８などの災害によって、地面７から容器１が浮いたり流されたりするなどの被害を生ずる心配があった。
また、地震による容器１の転倒や移動、或いは座屈などの損傷事例も報告されている。
【０００７】
特許文献１（特開２０１０−１７５０６９号公報）「ＬＰガス容器等の隔壁パネル」は、隔壁としての効果はあるが、地震や津波などの際に容器の浮き上がりや流され、転倒や移動などの災害に対応したものではなかった。
【０００８】
また、特許文献２（実公昭６２−３６００号公報）「ガス容器載置台」は、ガス容器の腐食防止と安定載置が確保されるが、地震や津波などの際に容器の浮き上がりや流され、転倒や移動などを防止するものではない。
【０００９】
この発明は上述のような従来技術が有する問題点に鑑みてなされたもので、その目的とするところは、地震や津波、波浪や風雨、洪水などの災害時に、地面に確りと固定されていない地上据え置きの小容量のタンクや容器が、風雨や波の力、浮力によって、浮き上がったり流されたり、転倒や移動するのを防止する。
【課題を解決するための手段】
【００１０】
請求項１の発明に係る容器の防護構造は、地上据え置きの小容量の容器を、地震や津波、洪水などによって移動したり流されたりすることがないように、底部近傍に重りを設置して安定固定したことを特徴とする。
【００１１】
請求項２の発明に係る容器の防護構造は、上記請求項１記載の小容量の容器は平底円筒形の容器であって、上記重りは容器の外周部又は内周部にリング状に設置したことを特徴とする。
【００１２】
請求項３の発明に係る容器の防護構造は、上記請求項１記載の小容量の容器は縦置きの容器又は横置きの容器であって、この容器の上部に設けた固定リングと、この固定リングから垂下する複数本のワイヤと、この各ワイヤの先端を固着する複数の重りとで係留状態に固定したことを特徴とする。
【００１３】
請求項４の発明に係る容器の防護構造は、上記請求項２記載の小容量の容器は複数の縦置きの容器であって、これらの容器の上部を磁気ベルトで結束するとともに下部を磁気ベルトで結束し、両磁気ベルト間に複数本の吊りワイヤを設けるとともに複数の重りにて固定したことを特徴とする。
【発明の効果】
【００１４】
請求項１の発明に係る容器の防護構造は、地上据え置きの小容量の容器を、地震や津波、洪水などによって移動したり流されたりすることがないように、底部近傍に重りを設置して安定固定したので、重りによって容器が浮上したり流されたりすることがなく、容器は重心が低く安定化し、傾いたり転倒することがないため、地震や津波対策の他、波浪や風雨、洪水対策にも有効で、海岸、埋め立て地、低地、河川、湖沼など、地盤が良くない設置場所であっても被害を受けることがない。
【００１５】
請求項２の発明に係る容器の防護構造は、上記請求項１記載の小容量の容器は平底円筒形の容器であって、上記重りは容器の外周部又は内周部にリング状に設置したので、リングとアンカーで確りと係留され移動しないため、地震や津波、洪水などによって容器が浮上ったり流されたりすることがなく、側板が変形や座屈など損傷を生じることもない。
【００１６】
請求項３の発明に係る容器の防護構造は、上記請求項１記載の小容量の容器は縦置きの容器又は横置きの容器であって、この容器の上部に設けた固定リングと、この固定リングから垂下する複数本のワイヤと、この各ワイヤの先端を固着する複数の重りとで係留状態に固定したので、リングとアンカーで確りと係留され、移動しないため、地震や津波、洪水などによって容器が浮上ったり流されたりすることがない。
【００１７】
請求項４の発明に係る容器の防護構造は、上記請求項２記載の小容量の容器は複数の縦置きの容器であって、これらの容器の上部を磁気ベルトで結束するとともに下部を磁気ベルトで結束し、両磁気ベルト間に複数本の吊りワイヤを設けるとともに複数の重りにて固定したので、磁石や磁性体よりなる磁気ベルトによって固定され安定するため、地震でバラバラになることなく転倒や移動することがなく、地震や津波、洪水などによって容器が浮上ったり流されたりすることもない。
【図面の簡単な説明】
【００１８】
【図１】本発明に係る容器の防護構造の第１の実施形態例を示す全体側面説明図である。
【図２】第２の実施形態例を示す説明図である。
【図３】第３の実施形態例を示す説明図である。
【図４】第４の実施形態例を示す説明図である。
【図５】従来例１を示す説明図である。
【図６】従来例２を示す説明図である。
【発明を実施するための形態】
【００１９】
本発明に係る容器の防護構造の実施形態例について図１から図４を参照しながら説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
地上据え置きの小容量の容器１の底部近傍に、重り２を設置して安定化を図る。
この重り２によって容器１は重心が低く安定化し、地震によって傾いたり転倒することがない。また、津波や洪水によって容器１が浮上したり流されたりすることがない。このように、地震や津波対策の他、波浪や風雨、洪水対策にも有効で、海岸、埋め立て地、低地、河川、湖沼など、地盤が良くない設置場所であっても、容器１に被害を受けることがない。
【００２０】
図１は小容量の容器１の防護構造の第１の実施形態例を示す。
１ａは、液化ガスタンクや灯油タンク、油脂タンクなど地面７の上に据え置かれた平底円筒形タンクの小容量の容器の事例である。  なお、この平底円筒形タンクの小容量の容器１ａは、液受入・払出しの配管ノズルなどをタンクの上部に設けている。
この容器１ａの浮き上がり、流されるのを防止するために、容器１の外周側面の地面７上にリング状の重り2ａ-1を設置する。
この重り2ａ-1の上面から容器１ａの側壁面の間に、ワイヤ３を設けて係留状態に固定する。
また、容器１ａ内部周囲の底板上にもリング状の重り2ａ-2を設置した事例を示している。
【００２１】
このように、平底円筒形の容器１ａの外部に重り2ａ-1を設けた場合は、津波や洪水に対して、波の衝撃力や浮遊物の衝突から保護しかつ重量を増加させて安定化する。
また、容器１ａ内部に重り2ａ-2を設けた場合には、外部からの押圧力を保護しかつ重量も増加させて安定化させる。
【００２２】
図２は、容器１の防護構造の第２の実施形態例を示す。
１ｂは、高圧ガスボンベやＬＰガスボンベなど地上据え置きの小容量の縦置容器の事例である。
この容器１ｂの浮き上がり、流され、転倒を防止するために、容器１ｂの外周側面の地面７上に、複数個の重り２ｂを隔離させて設置する。
この重り２ｂの上面から容器１ｂの上部首周り固定リング４の間に、ワイヤ３を設けて係留状態に固定する。５はワイヤの広がりを規制する補助ベルトである。重り２ｂは、球状や釣鐘状、ブロック状など、重量と安定性、取扱いに配慮して適用する。
【００２３】
重り２ｂにより重量が増加し容器１ｃが安定し、地震で転倒や移動をすることなく、津波や洪水に対して浮上りや流されや移動を防止する。
【００２４】
図３は、容器１の防護構造の第３の実施形態例を示す。
１ｃは、灯油タンクや重油タンクなど、地上据え置きの小容量の横置容器の事例である。
この容器１ｃの浮き上がりや流され、移動を防止するために、容器１ｃの側面の地面７上に複数個の重り２ｃを設置する。
この重り２ｃの上面から容器１ｃの上部首周り固定リング４の間に、ワイヤ３を設けて係留状態に固定する。５はワイヤの広がりを規制する補助ベルトである。重り２ｃの形状と個数は、球状やブロック状など、重量と安定性、取扱いを考慮して選定する。
【００２５】
重り２ｃにより重量が増加し容器１ｃが安定し、地震で移動することなく、津波や洪水に対して浮上りや流されることがない。
【００２６】
図４は、容器１の防護構造の第４の実施形態例を示す。
１ｄは、複数の地上据え置きの小容量の縦置容器の事例である。
複数の縦置容器１ｄを首巻き磁気ベルト６ａ、足巻き磁気ベルト６ｂで束ねて、複数のワイヤ３と重り２ｄを用いて係留状態に固定する。
首巻き磁気ベルト６ａ及び足巻き磁気ベルト６ｂは、鋼鉄製の容器に磁力で密着させ、バックルなどによって確りと締付けて固定する。
【００２７】
首巻き磁気ベルト６ａ及び足巻き磁気ベルト６ｂ、重り２ｄによって複数の縦置容器１ｄが一体化して安定するため、地震でバラバラになって転倒することがなく、津波や洪水に対しても浮上りや流される心配がない。
【産業上の利用可能性】
【００２８】
上記の容器の防護対策は、地上据え置きの小容量の容器に採用するばかりでなく、地震時のタンクの耐震性能の向上、殊に外部からの津波や洪水災害への防護対策などが望まれる貯蔵庫や小規模の構築物などにも適用することができる。
【符号の説明】
【００２９】
１容器      
２重り      
３ワイヤ      
４固定リング      
５補助ベルト      
６磁気ベルト      
７地面      
８津波・洪水      
【図１】
2014009016.tif 000003
【図２】
2014009016.tif 000004
【図３】
2014009016.tif 000005
【図４】
2014009016.tif 000006
【図５】
2014009016.tif 000007
【図６】
2014009016.tif 000008